(57)【特許請求の範囲】
【請求項１】
閉蓋操作時に流体の粘性抵抗により鍵盤蓋を制動する鍵盤楽器の鍵盤蓋開閉装置において、
楽器本体側に取付けられた回転型緩衝装置と、
前記鍵盤蓋に取付けられ、鍵盤蓋の回動を前記回転型緩衝装置の回動軸に伝達するとともに、前記鍵盤蓋と前記回動軸の回転中心のずれを吸収するずれ吸収装置とを備え、
前記ずれ吸収装置は、鍵盤蓋の側面後端部に固定された連結部材と、この連結部材と回転型緩衝装置の回動軸の双方に対して移動自在に嵌合するずれ吸収部材とからなり、このずれ吸収部材の連結部材に対する移動方向と、回動軸に対する移動方向がそれぞれ回動中心と交わる方向であることを特徴とする鍵盤楽器の鍵盤蓋開閉装置。
【請求項２】
請求項１記載の鍵盤楽器の鍵盤蓋開閉装置において、
連結部材は、内部に嵌合部が設けられた円筒部と、鍵盤蓋に固定される固定部とを有し、前記円筒部の中心が鍵盤蓋の回転中心と略一致するように前記鍵盤蓋の側面に固定され、
ずれ吸収部材は、表面側に径方向に長い長溝が形成され、裏面側には前記連結部材の嵌合部に対して前記長溝の長手方向と直交する方向に摺動自在に嵌合する嵌合部が形成され、
回転型緩衝装置のダンパーケースから突出する回動軸の突出端部を径方向に長く形成して前記ずれ吸収部材の長溝内に嵌挿したことを特徴とする鍵盤楽器の鍵盤蓋開閉装置。
【発明の詳細な説明】
【０００１】
【発明の属する技術分野】
本発明は、鍵盤蓋の急激な落下を阻止し、閉蓋操作時における安全性を向上させるようにした鍵盤楽器の鍵盤蓋開閉装置に関する。
【０００２】
【従来の技術】
一般のピアノ、電子ピアノなどの鍵盤楽器においては、非演奏時に鍵盤部の上部を覆う開閉自在な鍵盤蓋を備えている。この鍵盤蓋は、長尺で重く、後端側が蝶番を介して楽器本体側または鍵盤蓋奥に回動自在に枢着されているため、開閉操作時、特に閉蓋操作時にその途中から重心位置が前方へ移動することにより急激に落下するようになる。そのため、口棒に激しく当たって大きな衝撃音を発したり、誤って指を口棒と鍵盤蓋との間に挟むことがあった。
【０００３】
そこで、このような不都合を解決するために従来から種々の開閉装置を設け、鍵盤蓋が急激に落下しないようにしている。例えば、実公平５−４８２３８号公報には、グランドピアノの鍵盤蓋に適用した鍵盤蓋の開閉装置が記載されている。この開閉装置は、図７に示すように楽器本体の構成部材である腕木５０の内側面に流体の粘性抵抗を利用した回転式のオイルダンパー５１を埋設し、鍵盤蓋５２の側面で回転中心位置に連結具５３を設け、この連結具５３に設けたスリット５４をオイルダンパー５１の回動軸に設けた角形端部５５ａに係合させている。このような開閉装置によれば、鍵盤蓋５２を開くときにはオイルダンパー５１内の流体の粘性抵抗が小さく、開閉装置を備えない鍵盤蓋と同程度の操作力で楽にかつ速やかに開くことができ、反対に閉じるときには下降するにしたがい流体の粘性抵抗が徐々に大きくなり鍵盤蓋５２を制動することができる。したがって、ゆっくりと回動させて徐々に閉じることができる。
【０００４】
【発明が解決しようとする課題】
上記した従来の開閉装置は、グランドピアノに適用した場合、オイルダンパー５１の回転軸で鍵盤蓋５２を回動自在に軸支することになるので、これらの軸ずれという問題は生じないが、アップライトピアノに適用した場合は、鍵盤蓋が蝶番によって鍵盤蓋奥に開閉自在に取付けられ、鍵盤蓋と鍵盤蓋奥と連結された状態で楽器本体に取付けられるため、蝶番の軸線上にダンパーを配設しようとする場合、ダンパーと蝶番の回転中心が正確に一致しないと、雑音が発生したり、部品が摩耗あるいはダンパー自体または楽器本体が破損するおそれがあり、組立、調整作業に時間を要し困難をきわめるという問題があった。蝶番とダンパーの回動中心がずれる原因としては、次に列記する事項を挙げることができる。
▲１▼鍵盤蓋は蝶番で鍵盤蓋奥と連結されており、楽器本体に取付けられ固定されてしまうので、一旦組込むと蝶番軸は動かせない。
▲２▼鍵盤蓋奥の楽器本体への取付け方は、水平、垂直方向の精度が出る方法ではなく、装着位置に誤差が出る可能性がある。
▲３▼上記▲２▼の結果により蝶番に合わせて後からダンパーの装着位置を左右の腕木で調整することは難しい。
【０００５】
本発明は上記した従来の問題点を解決するためになされたもので、その目的とするところは、鍵盤楽器の製造工程において生じるダンパーの回転中心位置のばらつきによる回転中心のずれを吸収し組立、調整作業が容易で、雑音、部品の摩耗、破損等を軽減し得るようにした鍵盤楽器の鍵盤蓋開閉装置を提供することにある。
さらに、本発明は、緩衝装置を備えない通常の鍵盤楽器と同様に鍵盤蓋または鍵盤蓋と鍵盤蓋奥を楽器本体から容易に脱着することができる鍵盤楽器の鍵盤蓋開閉装置を提供することにある。
【０００６】
【課題を解決するための手段】
上記目的を達成するために本発明は、閉蓋操作時に流体の粘性抵抗により鍵盤蓋を制動する鍵盤楽器の鍵盤蓋開閉装置において、楽器本体側に取付けられた回転型緩衝装置と、前記鍵盤蓋に取付けられ、鍵盤蓋の回動を前記回転型緩衝装置の回動軸に伝達するとともに、前記鍵盤蓋と前記回動軸の回転中心のずれを吸収するずれ吸収装置とを備え、前記ずれ吸収装置は、鍵盤蓋の側面後端部に固定された連結部材と、この連結部材と回転型緩衝装置の回動軸の双方に対して移動自在に嵌合するずれ吸収部材とからなり、このずれ吸収部材の連結部材に対する移動方向と、回動軸に対する移動方向がそれぞれ回動中心と交わる方向であることを特徴とする。
さらに、本発明は、上記発明において、連結部材は、内部に嵌合部が設けられた円筒部と、鍵盤蓋に固定される固定部とを有し、前記円筒部の中心が鍵盤蓋の回転中心と略一致するように前記鍵盤蓋の側面に固定され、ずれ吸収部材は、表面側に径方向に長い長溝が形成され、裏面側には前記連結部材の嵌合部に対して前記長溝の長手方向と直交する方向に摺動自在に嵌合する嵌合部が形成され、回転型緩衝装置のダンパーケースから突出する回動軸の突出端部を径方向に長く形成して前記ずれ吸収部材の長溝内に嵌挿したことを特徴とする。
【０００７】
鍵盤蓋の開閉動作中において、鍵盤蓋と鍵盤蓋奥間の蝶番の回動軸と回転型緩衝装置の回動軸の回転中心が一致している場合、ずれ吸収部材は連結部材と回動軸の双方に対して移動しないが、製造上に生じる回転型緩衝装置の取付位置のばらつきによるずれにより回転中心が一致していない場合は、連結部材と回動軸の双方に対して移動することにより、鍵盤蓋と回動軸の回転中心のずれを吸収する。したがって、回動軸に無理な力が加わって部品が摩耗したり、緩衝装置自体または楽器本体が破損したり、あるいは雑音が発生するのを防止することができる。
また、回動軸をずれ吸収部材の長溝に嵌挿すればよいので、鍵盤蓋または鍵盤蓋と鍵盤蓋奥の脱着が容易である。すなわち、鍵盤蓋を略垂直に立て、真上に引き上げて長溝内の回動軸を抜き出すと、緩衝装置とずれ吸収部材との結合関係が解除されるので、通常の鍵盤蓋と同様に鍵盤蓋または鍵盤蓋と鍵盤蓋奥を楽器本体から容易に取外すことができる。
緩衝装置は、開蓋動作時において流体の粘性抵抗が小さい。したがって、鍵盤蓋を通常の鍵盤蓋と同程度の操作力で開くことができる。一方、閉蓋操作時において鍵盤蓋が回動すると、流体の粘性抵抗が徐々に大きくなることにより鍵盤蓋を制動する。したがって、鍵盤蓋は自重により加速されず、静かに閉じる。
【０００８】
【発明の実施の形態】
以下、本発明を図面に示す実施の形態に基づいて詳細に説明する。
図１は本発明に係る鍵盤蓋開閉装置を備えたアップライトピアノの外観斜視図、図２は鍵盤蓋奥に取付けられた鍵盤蓋を楽器本体に組込むときの様子を示す斜視図、図３は同装置の分解斜視図、図４は同装置の側面図、図５は同装置の断面図、図６（ａ）は緩衝装置の閉蓋時における断面図、（ｂ）は開蓋途中における断面図、（ｃ）は開蓋時における断面図である。図１および図２において、アップライトピアノ１は、楽器本体２を構成する左右一対の親板３，３、各親板３，３に突設された一対の腕木４，４、これらの腕木４，４間に横架された棚板５、この棚板５の上面前端部に設けられた口棒６、上前板７、下前板８、天板９、図示しない底板等を備え、棚板５上に例えば８８鍵からなる鍵盤１０と、左右一対の拍子木１１，１１が配設されている。また、棚板５の上方には鍵盤部を覆う開閉自在な鍵盤蓋１２が設けられている。この鍵盤蓋１２は、図３に示すように後端が蝶番１３により鍵盤蓋奥１４に上下方向に回動自在に枢着されることにより開閉角度が例えば１２０°〜１３０°程度で、閉蓋状態において前端部下面が口棒６の上面に当接することにより図４に示すように略水平な状態に保持され、最大角度開くと、前端部表面が前記上前板７に当接して支持される。そして、このような鍵盤蓋１２は図２に示すように９０°開いた状態で腕木４に、また鍵盤蓋奥１４はともに楽器本体２に対して着脱可能に組み込まれる。
【０００９】
前記各腕木４の内側面と、前記鍵盤蓋１２との間には、図３および図４に示すように閉蓋動作時に鍵盤蓋１２を制動する鍵盤蓋開閉装置（以下、開閉装置という）１５が配設されている。この開閉装置１５は、前記腕木４の内側面に埋め込まれ複数個のねじ１６によって固定された回転型の緩衝装置１７と、前記鍵盤蓋１２の側面後端部に複数個のねじ１８によって固定され、前記鍵盤蓋１２と緩衝装置１７の回転中心のずれを吸収するずれ吸収装置１９とを備えている。
【００１０】
前記緩衝装置１７は、流体の粘性抵抗を利用したもので、図６に示すように円筒状のダンパーケース２０と、このダンパーケース２０内に回動自在に配設された回動軸２１とを備えている。
【００１１】
ダンパーケース２０の内部は、２つの室、すなわち第１、第２の緩衝室２３Ａ，２３Ｂに仕切られるとともに、非圧縮性のダンピングオイル２４が封入されている。第１、第２の緩衝室２３Ａ，２３Ｂは、ダンパーケース２０の内周面に中心に向かって設けた半径方向の仕切壁２５と、回動軸２１の周面に設けられ前記仕切壁２５が挿入されるＶ字状の溝２６によって形成されている。
【００１２】
また、第１の緩衝室２３Ａと第２の緩衝室２３Ｂは、仕切壁２５に設けた連通孔２７を介して互いに連通しダンピングオイル２４の流通を可能にしている。ただし、ダンピングオイル２４は、連通孔２７に設けた逆止弁２８によって第１の緩衝室２３Ａから第２の緩衝室２３Ｂへの流通のみを許容され、第２の緩衝室２３Ｂから第１の緩衝室２３Ａへの流通を阻止されている。なお、鍵盤蓋１２が完全に閉じた状態においては、図６（ａ）に示すように溝２６を形成する２つの側壁２６ａ，２６ｂのうち、一方の側壁２６ａが仕切壁２５から最大角度離間し、他方の側壁２６ｂが仕切壁２５と近接して対向し、ダンピングオイル２４はその殆どが第１の緩衝室２３Ａ内に満たされている。このため、第２の緩衝室２３Ｂの容積は殆ど零となる。反対に鍵盤蓋１２が開いた状態においては、図６（ｃ）に示すようにダンピングオイル２４が第２の緩衝室２３Ｂ内に移動し、第１の緩衝室２３Ａの容積は殆ど零となる。
【００１３】
なお、前記溝２６の底部には、回動軸２１の中心Ｏを中心とする円弧状の突部３０が一体に突設されており、この突部３０と前記仕切壁２５の先端面との間に絞り通路３１が形成されている。
【００１４】
前記回動軸２１は、ダンパーケース２０内に水密性を保って嵌挿され、内端部がダンパーケース２０の内径より僅かに小さい外径を有している。回動軸２１の一端部は、前記ダンパーケース２０から外部に突出し、その突出端部２１ａが緩衝装置１７の径方向に長い矩形の突状体を形成している。
【００１５】
前記ずれ吸収装置１９は、鍵盤蓋１２の側面後端部に形成された切欠部４２内に２本のねじ４３によって固定された連結部材４０と、この連結部材４０に嵌着され鍵盤蓋１２の回動を前記回動軸２１に伝達するずれ吸収部材４１の２部材で構成されている。また、このずれ吸収部材４１は、連結部材４０と回動軸２１の突出端部２１ａの双方に対して移動自在に嵌合することにより鍵盤蓋１２と緩衝装置１７の回転中心のずれを吸収する。ずれ吸収部材４１の連結部材４０に対する移動方向と、回動軸２１に対する移動方向は互いに直交している。ここでは、回動軸２１に対する移動方向をＸ方向とし（突出端部２１ａの長手方向）、連結部材４０に対する移動方向をＹ方向とする。
【００１６】
さらに、連結部材４０とずれ吸収部材４１の詳細を説明する。
連結部材４０は、角棒状体からなる固定部４０Ａと、この固定部４０Ａの後端に一体に設けた有底の円筒部４０Ｂとからなり、固定部４０Ａに前記ねじ４３が挿通されるねじ取付孔４４が形成されている。円筒部４０Ｂの後方側解放端面には溝４６が形成され、内部には上下に対向する２つの突起からなる嵌合部４７が一体に突設されている。ただし、２つの突起は連続した１つの突起であってもよい。溝４６の溝幅は、前記回動軸２１の突出端部２１ａの幅より大きく設定されている。そして、この円筒部４０Ｂの中心は、前記鍵盤蓋１２の回動中心と略一致している。
【００１７】
前記ずれ吸収部材４１は、前記円筒部４０Ｂの内径より小さい外径を有する円柱状に形成され、表面側には前記溝４６に対応して前記長溝５０が水平方向に形成され、裏面側には前記嵌合部４７に対して上下方向に摺動自在に嵌合する嵌合部５１が形成されている。この嵌合部５１は、２つの凹部で構成されている。長溝５０の溝幅は、前記突出端部２１ａの相対移動を可能にするため、突出端部２１ａの長手方向の幅より大きく設定されている。なお、図４において、５２は鍵盤蓋１２に埋設されたナットである。
【００１８】
鍵盤蓋奥１４に連結された鍵盤蓋１２を楽器本体２の腕木４に組み込むには、予め緩衝装置１７を腕木４の内側面に設けた凹部５３内に嵌合してねじ１６により固定する。また、連結部材４０を鍵盤蓋１２の凹部４２に嵌合してねじ４３で固定し、ずれ吸収部材４１を円筒部４０Ｂ内に嵌挿し、嵌合部４７と５１を嵌合させることで、ずれ吸収装置１９を鍵盤蓋１２に取付けておく。次に、鍵盤蓋１２を図２に示すように垂直に立てて左右の腕木４，４間に上方から挿入して回動軸２１の突出端部２１ａを溝４６から長溝５０内に嵌挿すればよい。
【００１９】
次に、上記した開閉装置１５の動作について説明する。
鍵盤蓋１２は、開閉角度が略１２０°〜１３０°で、閉蓋時において口棒６に当接し略水平な状態に保持されている。緩衝装置１７は閉蓋時において、図６（ａ）の状態に保持されている。この状態より鍵盤蓋１２を徐々に開いていくと、その回動がずれ吸収装置４０を介して緩衝装置１７の回動軸２１に伝達される。
【００２０】
緩衝装置１７は鍵盤蓋１２の閉蓋時において、図６（ａ）の状態に保持されており、この状態より回動軸２１が回動すると、第１の緩衝室２３Ａ内のダンピングオイル２４は、主として連通孔２７を通って第２の緩衝室２３Ｂに流入する。したがって、このときのオイルの粘性抵抗は小さく、鍵盤蓋１２に対する緩衝装置１７の制動力は小さい。そのため、開閉装置１５を備えない従来のピアノの鍵盤蓋と同様な操作力で回動させることができる。そして、鍵盤蓋１２が所定角度回動して上前板７に当接して停止すると、回動軸２１を同角度回動し、第１の緩衝室２３Ａ内のダンピングオイル２４はその殆どが第２の緩衝室２３Ｂ内に移動する。
【００２１】
次に、開蓋状態の鍵盤蓋１２を閉じるときには、回動軸１２は図６（ｃ）の状態より反時計方向に回動する。このとき、緩衝装置１７が機能し鍵盤蓋１２を制動する。すなわち、回動軸２１が図６（ｃ）の状態より反時計方向に回動すると、第２の緩衝室２３Ｂ内のダンピングオイル２４はその殆どが絞り通路３１を通って第１の緩衝室２３Ａに流入する。このときの粘性抵抗は絞り通路３１の断面積がきわめて小さいことから大きく、鍵盤蓋１２に対して大きな制動力として作用し、鍵盤蓋１２をゆっくりと回動させる。したがって、鍵盤蓋１２は自重によって加速されず、静かに閉じ口棒６に当接したとき大きな衝撃音を発することがない。
【００２２】
ここで、鍵盤蓋１２の開閉動作時において、鍵盤蓋１２と回動軸２１の回転中心が一致していると、ずれ吸収部材４１は連結部材４０と回動軸２１の双方に対して移動しないが、回転中心が一致していない場合は、連結部材４０と回動軸２１の双方に対して直交する２方向、すなわち連結部材４０に対してはＹ方向に、突出端部２１ａに対してはＸ方向に移動することにより、鍵盤蓋１２と回動軸２１の回転中心のずれを吸収する。したがって、回動軸２１には無理な力が加わらず、部品が摩耗したり、緩衝装置１７自体が破損したり、あるいは雑音が発生するのを防止することができる。したがって、特に鍵盤蓋と鍵盤蓋奥とを蝶番で連結した状態で楽器本体に着脱するアップライトピアノに適用すると、蝶番の回転軸と緩衝装置の回動軸のずれを吸収することができるので好適である。
【００２３】
また、回動軸２１の突出端部２１ａを連結部材４０の溝４６からずれ吸収部材４１の長溝５０に嵌挿すればよいので、鍵盤蓋１２の脱着作業が容易である。すなわち、鍵盤蓋１２を略垂直に立てて上方に引き上げ長溝５０内の突出端部２１ａを溝４６から抜き出すと、緩衝装置１７とずれ吸収装置１９の結合関係が解除されるので、鍵盤蓋１２を楽器本体２から容易に取外すことができる。したがって、調整、調律時のメンテナンスをする際は、通常のアップライトピアノのように楽器本体から鍵盤蓋１２と鍵盤蓋奥１４を互いに連結した状態で外せばよい。
【００２４】
なお、上記した実施の形態においては、連結部材４０の嵌合部４７を突起とし、ずれ吸収部材４１の嵌合部５１を凹部としたが、この逆であってもよい。
また、緩衝装置１７に用いられる流体としてダンピングオイル２４を用いた例を示したが、これに限らず鍵盤蓋１２が軽い場合は空気を用いてもよい。
また、鍵盤蓋１２の取付に際しては、ずれ吸収部材４１が連結部材４０から落下するのを防止するため、ずれ吸収部材４１を円筒部４０Ｂ内に嵌挿した後、カバーで円筒部４０Ｂを覆うようにするとよい。
【００２５】
【発明の効果】
以上説明したように本発明に係る鍵盤楽器の鍵盤蓋開閉装置によれば、鍵盤蓋と緩衝装置の回転中心のずれをずれ吸収装置によって吸収するように構成したので、回動軸に無理な力が加わらず、部品が摩耗したり、緩衝装置自体が破損したり、あるいは雑音が発生するのを防止することができ、特に鍵盤蓋と鍵盤蓋奥が長蝶番によって連結されて楽器本体に組付けられ固定されて蝶番の回転軸を動かせないアップライトピアノの鍵盤蓋に適用して好適である。
また、通常の鍵盤楽器と同様に楽器本体に対する鍵盤蓋の脱着作業が容易である。
【図面の簡単な説明】
【図１】  本発明に係る鍵盤蓋開閉装置を備えたアップライトピアノの外観斜視図である。
【図２】  鍵盤蓋奥に取付けられた鍵盤蓋を楽器本体に組込むときの様子を示す斜視図である。
【図３】  同装置の分解斜視図である。
【図４】  同装置の側面図である。
【図５】  同装置の断面図である。
【図６】  （ａ）は緩衝装置の閉蓋時における断面図、（ｂ）は開蓋途中における断面図、（ｃ）は開蓋時における断面図である。
【図７】  従来の緩衝装置の分解斜視図である。
【符号の説明】
１…アップライトピアノ、２…楽器本体、３…親板、４…腕木、５…棚板、６…口棒、１０…鍵盤、１２…鍵盤蓋、１４…鍵盤蓋奥、１５…開閉装置、１７…緩衝装置、１９…ずれ吸収装置、２０…ダンパーケース、２１…回動軸、２１ａ…回動軸の突出端部、２４…ダンピングオイル、４０…連結部材、４１…ずれ吸収部材、４６…溝、４７…嵌合部、５１…嵌合部。
【図１】
0003849313.tif 000002
【図２】
0003849313.tif 000003
【図３】
0003849313.tif 000004
【図４】
0003849313.tif 000005
【図５】
0003849313.tif 000006
【図６】
0003849313.tif 000007
【図７】
0003849313.tif 000008